(57)【特許請求の範囲】
【請求項１】
少なくとも１つの測定方向（ｘ）に互いに相対移動可能な２つの物体の位置を検出するための、測定方向（ｘ）に延在する１つのスケール本体（２０）と１つの走査装置（１０）とを有するエンコーダであって、
・前記スケール本体（２０）が、前記２つの物体のうちの一方の物体に接合されていて、少なくとも１つの基準マーク（２２）を１つの基準位置（ｘＲＥＦ）に有し、前記基準マーク（２２）が、場所に応じて異なる目盛周期を有する複数の目盛領域（２２．１，２２．２，１４．１，１４．２，１４．３）の測定方向（ｘ）に延在する配置から構成され、
・前記走査装置（１０）が、前記２つの物体のうちの他方の物体に接合されていて、少なくとも１つの基準信号（ＲＥＦ）を前記基準位置（ｘＲＥＦ）で生成するために１つの光源（１１）と１つの走査板（１３）と１つの基準信号検出装置（１８）とを有し、さらに生成される周期的な複数のインクリメンタル信号に対する１つの絶対基準値が生成可能であり、前記走査板（１３）が、場所に応じて異なる目盛周期を有する複数の目盛領域（１４．１，１４．２，１４．３）の測定方向（ｘ）に延在する配置から構成される１つの基準マーク走査パターン（１４）を有し、
・前記走査板（１３）上の前記基準マーク走査パターン（１４）内の回折格子の空間周波数分布と前記スケール本体（２０）上の前記基準マーク（２２）内の回折格子の空間周波数分布とが異なるように、このスケール本体（２０）上のこの基準マーク（２２）内の前記複数の目盛領域（２２．１，２２．２）と前記走査板（１３）の前記基準マーク走査パターン（１４）内の目盛領域（１４．１，１４．２，１４．３）との配置が選択されていて、
・前記基準マーク走査パターン（１４）は、第１の回折格子の空間周波数分布を有し、且つ主に＋／−１次の回折次数が前記光源（１１）から放射した放射ビーム束とこの基準マーク走査パターン（１４）との相互作用から発生するように形成されていて、これらの＋／−１次の回折次数は、前記スケール本体（２０）上で重畳して第２の回折格子の空間周波数分布を有する前記基準マーク走査パターン（１４）のセルフイメージを生成する当該エンコーダにおいて、
・前記スケール本体（２０）上に配置された前記基準マーク（２２）は、第３の回折格子の空間周波数分布を有すること、及び
・前記第２の回折格子の空間周波数分布と前記第３の回折格子の空間周波数分布とが、周波数領域内で所定の差周波数（ｆＶ）だけ互いにシフトされているように、前記基準マーク走査パターン（１４）及び／又は前記スケール本体（２０）上に配置された前記基準マーク（１４）が形成されている結果、前記スケール本体（２０）が、その基準位置（ｘＲＥＦ）に存在するときに、周期的な空間周波数成分を有する干渉縞が、前記基準マーク走査パターン（１４）のセルフイメージと前記基準信号検出装置（１８）の検出面内の前記基準マーク（２２）との光学的な相互作用から発生し、前記周期的な空間周波数成分が、前記差周波数（ｆＶ）に相応することを特徴とするエンコーダ。
【請求項２】
前記基準マーク走査パターン（１４）は、組み合わされた振幅パターン及び位相パターンとして形成されていて、この組み合わされた振幅パターン及び位相パターンは、透過性の複数の目盛領域（１４．１）と非透過性の複数の目盛領域（１４．２）と所定に位相シフトされている複数の目盛領域（１４．３）とを有することを特徴とする請求項１に記載のエンコーダ。
【請求項３】
前記基準マーク走査パターン（１４）の空間周波数の２倍のセルフイメージが、前記スケール本体（２０）上に発生するように、この基準マーク走査パターン（１４）が形成されていることを特徴とする請求項１に記載のエンコーダ。
【請求項４】
・基準マーク（２２）は、基準マーク対象軸（ＳＭ）に対してミラー対称に形成された２つの基準マーク部分領域（２２Ａ，２２Ｂ）から構成され、
・前記基準マーク走査パターン（１４）は、走査パターン対称軸（ＳＡ）に対してミラー対称に形成された２つの走査パターン部分領域（１４Ａ，１４Ｂ）から構成されることを特徴とする請求項１〜３のいずれか１項に記載のエンコーダ。
【請求項５】
前記基準信号検出装置（１８）は、測定方向（ｘ）に周期的に配置されている長方形の複数の検出素子（１８．１，１８．２）を有し、この基準信号検出装置（１８）の検出装置空間周波数が、前記第２の回折格子の空間周波数分布と前記第３の回折格子の空間周波数分布との差周波数（ｆＶ）に相当することを特徴とする請求項１に記載のエンコーダ。
【請求項６】
前記基準信号検出装置（１８）は、測定方向（ｘ）に非周期的に配置されている長方形の複数の検出素子を有し、この基準信号検出装置の局所の検出装置空間周波数が、前記第２の回折格子の空間周波数分布と前記第３の回折格子の空間周波数分布との局所の差周波数に相当することを特徴とする請求項１に記載のエンコーダ。
【請求項７】
前記基準信号検出装置（１８）の各検出素子（１８．１，１８．２）が、１つおきに互いに電気接続されている結果、それぞれ互いに接続された複数の検出素子（１８．１，１８．２）から構成される第１グループと第２グループとが発生し、基準クロック信号（ＲＥＦＴ）が、この第１グループによって生成可能であり、基準逆クロック信号（ＲＥＦＧＴ）が、この第２グループによって生成可能であることを特徴とする請求項５又は６に記載のエンコーダ。
【請求項８】
前記基準位置（ｘＲＥＦ）に対して、前記第１グループの複数の検出素子（１８．１）が、前記基準信号検出装置（１８）の検出面内で発生する干渉縞の信号最大値（ｘＲＥＦ）を検出し、前記第２グループの複数の検出素子（１８．２）が、基準信号検出装置（１８）の検出面内で発生する干渉縞の信号最小値を検出するように、前記基準信号検出装置（１８）が構成されていることを特徴とする請求項７に記載のエンコーダ。
【請求項９】
前記基準クロック信号（ＲＥＦＴ）と前記基準逆クロック信号（ＲＥＦＧＴ）とが、互いに差生成素子内に入力されていて、基準信号（ＲＥＦ）が、前記基準位置（ｘＲＥＦ）で、当該入力された基準クロック信号（ＲＥＦＴ）と当該基準逆クロック信号（ＲＥＦＧＴ）とから発生することを特徴とする請求項７に記載のエンコーダ。
【請求項１０】
前記スケール本体（２０）は、照射振幅型回折格子として形成されていて、前記基準マーク（２２）は、交互に配置された異なる反射特性の複数の目盛領域（２２．１，２２．２）を有することを特徴とする請求項１〜９のいずれか１項に記載のエンコーダ。
【請求項１１】
位置によって決まる１つ又は複数のインクリメンタル信号をインクリメンタル目盛（２１）の走査から生成するため、測定方向（ｘ）に延在する１つのインクリメタル目盛（２１）が、前記スケール本体（２０）上にさらに配置されていて、前記走査装置（１０）が、走査手段を有することを特徴とする請求項１〜１０のいずれか１項に記載のエンコーダ。
【発明の詳細な説明】
【技術分野】
【０００１】
本発明は、請求項１の上位概念に記載のエンコーダに関する。
【背景技術】
【０００２】
少なくとも１つの測定方向に互いに相対移動可能な２つの物体の位置を検出するために適するエンコーダが、欧州特許出願公開第５１３４２７号明細書から公知である。このため、当該公知のエンコーダは、当該２つの物体のうちの一方の物体に接合されているスケール本体を有する。このスケール本体は、測定方向に延在する１つのインクリメンタル目盛と１つの基準位置に対する１つの基準マークとを有する。この基準マークは、場所で異なる目盛周期を有するパターンから構成される。すなわち、この基準マークは、場所に応じて異なる目盛周期を有する複数の目盛領域の測定方向に延在する配置を成す。このようなパターン又は配置は、チャープされた目盛パターン又はチャープされた回折格子とも記される。さらに、当該エンコーダは、当該２つの物体のうちの他方の物体に接合されている走査装置を有する。この走査装置は、移動によって決まる少なくとも１つのインクリメンタル信号と所定の１つの基準位置に対する少なくとも１つの基準信号とを生成するために使用される異なる複数の素子を有する。この場合、信号が、測定区間に沿って当該インクリメンタル目盛と当該基準マークとを光学走査することによって生成される。この場合、スケール本体と走査板との異なってチャープされた目盛周期によって発生する全ての信号周波数成分が、同位相で重畳するときに、１つの基準信号が発生する。
【０００３】
当該欧州特許出願公開第５１３４２７号明細書の図８では、こうして形成されたチャープされた基準マークの特別なバリエーションが開示されている。この基準マークは、対称軸に対してミラー対称に配置された２つの基準マーク部分領域から構成される。当該２つの基準マーク部分領域はそれぞれ、場所に応じて異なる目盛周期を有する複数の目盛領域の測定方向に延在する配置から構成される。
【０００４】
当該欧州特許出願公開第５１３４２７号明細書から公知のエンコーダは、いわゆる干渉走査原理に基づく。この干渉走査原理では、第１回折格子が、走査放射ビーム路内でコリメート照射される。移動によって決まる走査信号が、複数の部分放射ビーム束の能動的な重畳と受動的な重畳とから得られる。当該走査信号は、スケール本体と走査装置との相対移動時に移動に応じて位相シフトされる。こうして、当該２つの物体の相対位置に関する高分解能の位置情報が入手され得る。当該使用される走査原理の場合、位相回折格子のスケールが、スケール本体として使用される。この位相回折格子のスケールは、特により大きく必要な測定長さに対しては比較的経費をかけて製造される必要がある。それ故に、特定の用途において、代わりの又はより少ない経費で製造可能なスケール本体、例えば振幅回折格子のスケールが使用されなければならない場合は、当該欧州特許出願公開第５１３４２７号明細書の図８で提唱されている基準信号を生成するためのバリエーションは使用され得ない。当該明細書には、振幅回折格子として形成されたスケール本体の走査時に、どのような手段を高分解能の基準信号を生成するために採用するべきかという指摘が開示されていない。
【先行技術文献】
【特許文献】
【０００５】
【特許文献１】欧州特許出願公開第５１３４２７号明細書
【特許文献２】欧州特許出願公開第１０８１４５７号明細書
【発明の概要】
【発明が解決しようとする課題】
【０００６】
本発明の課題は、簡単に製造可能なスケール本体の使用の下で１つ又は複数の基準信号の確実な生成を可能にするエンコーダを提供することにある。
【課題を解決するための手段】
【０００７】
本発明によれば、この課題は、請求項１に記載の特徴を有するエンコーダによって解決される。
【０００８】
本発明のエンコーダの好適な構成は、従属請求項に記載されている手段によって達成される。
【０００９】
本発明のエンコーダは、少なくとも１つの測定方向に延在する互いに相対移動可能な２つの物体の位置を検出するために使用される。本発明のエンコーダは、測定方向に延在する１つのスケール本体を有する。このスケール本体は、当該２つの物体のうちの一方の物体に接合されていて、少なくとも１つの基準マークを１つの基準位置に有する。この場合、この基準マークは、場所に応じて異なる複数の目盛領域の測定方向に延在する配置から構成される。さらに、本発明のエンコーダは、当該２つの物体のうちの他方の物体に接合されている１つの走査装置を有する。この走査装置は、少なくとも１つの基準信号を当該基準位置で生成するために１つの光源と１つの走査板と１つの基準信号検出装置とを有する。この場合、この走査装置は、１つの基準マーク走査パターンを有する。この基準マーク走査パターンは、場所に応じて異なる目盛周期を有する複数の目盛領域の測定方向に延在する配置から構成される。走査板上の基準マーク走査パターン内の回折格子の空間周波数分布とスケール本体上の基準マーク内の回折格子の空間周波数分布とが異なるように、このスケール本体上のこの基準マーク内のこれらの目盛領域とこの走査板のこの基準マーク走査パターン内の目盛領域との配置が選択されている。
【００１０】
好適な実施の形態では、基準マーク走査パターンは、第１の回折格子の空間周波数分布を有し、且つ主に＋／−１次の回折次数が光源から放射した放射ビーム束とこの基準マーク走査パターンとの相互作用から発生するように形成されていることが提唱されている。これらの＋／−１次の回折次数は、スケール本体上で重畳して第２の回折格子の空間周波数分布を有する基準マーク走査パターンのセルフイメージを生成する。
【００１１】
この場合、当該基準マーク走査パターンは、組み合わされた振幅パターン及び位相パターンとして形成され得る。この基準マーク走査パターンは、透過性で且つ位相シフトされている所定の複数の目盛領域と非透過性で且つ位相シフトされている所定の複数の目盛領域とを有する。
【００１２】
この代わりに、当該基準マーク走査パターンは、横方向に形成された複数の目盛領域を有する位相パターンとして形成されてもよい。
【００１３】
好ましくは、スケール本体上に配置された基準マークが、第３の回折格子の空間周波数分布を有する。
【００１４】
さらに、第２の回折格子の空間周波数分布と第３の回折格子の空間周波数分布とが、周波数領域内で所定の差周波数だけ互いにシフトされているように、基準マーク走査パターン及び／又はスケール本体上に配置された基準マークが形成されてもよい。その結果、当該スケール本体が、その基準位置に存在するときに、周期的な空間周波数成分を有する干渉縞が、当該基準マーク走査パターンのセルフイメージと基準信号検出装置の検出面内の当該基準マークとの光学的な相互作用から発生する。この場合、当該周期的な空間周波数成分が、差周波数に相当する。
【００１５】
特に、基準マーク走査パターンの空間周波数の２倍のセルフイメージが、スケール本体上に発生するように、この基準マーク走査パターンが形成されている。
【００１６】
可能な実施の形態では、
・基準マークが、基準マーク対象軸に対してミラー対称に形成された２つの基準マーク部分領域から構成され、
・基準マーク走査パターンが、走査パターン対称軸に対してミラー対称に形成された２つの走査パターン部分領域から構成されることが提唱されている。
【００１７】
さらに、基準信号検出装置は、測定方向に周期的に配置されている長方形の複数の検出素子を有する。この場合、この基準信号検出装置の検出装置空間周波数が、第２の回折格子の空間周波数分布と第３の回折格子の空間周波数分布との差周波数に相当する。
【００１８】
この代わりに、基準信号検出装置は、測定方向に非周期的に配置されている長方形の複数の検出素子を有してもよい。この場合、この基準信号検出装置の局所の検出装置空間周波数が、第２の回折格子の空間周波数分布と第３の回折格子の空間周波数分布との局所の差周波数に相当する。
【００１９】
特に、基準信号検出装置の各検出素子が、１つおきに互いに電気接続されていることが提唱されている。その結果、それぞれ互いに接続された複数の検出素子から構成される第１グループと第２グループとが発生し、基準クロック信号が、この第１グループによって生成可能であり、基準逆クロック信号が、この第２グループによって生成可能である。
【００２０】
この場合、基準位置に対して、第１グループの複数の検出素子が、基準信号検出装置の検出面内で発生する干渉縞の信号最大値を検出し、第２グループの複数の検出素子が、基準信号検出装置の検出面内で発生する干渉縞の信号最小値を検出するように、当該基準信号検出装置が構成され得る。
【００２１】
基準クロック信号と基準逆クロック信号とが、互いに差生成素子内に入力されていて、基準信号が、基準位置で、当該入力された基準クロック信号と当該基準逆クロック信号とから発生することが可能である。
【００２２】
好ましくは、スケール本体が、照射振幅型回折格子として形成されていて、基準マークが、交互に配置された異なる反射特性の複数の目盛領域を有する。
【００２３】
最後に、位置によって決まる１つ又は複数のインクリメンタル信号をインクリメンタル目盛の走査から生成するため、測定方向に延在する１つのインクリメタル目盛が、スケール本体上に配置されていて、走査装置が、走査手段を有することが提唱され得る。
【００２４】
経費のかかる製造方法を必要としない、基準信号を生成するためのスケール本体も、エンコーダの本発明の構成に基づいて走査され得る。特に、この場合、位置信号を生成するために照射光でも透過光でも走査可能である振幅回折格子をスケール本体として使用することが可能である。
【００２５】
本発明の解決手段のその他の利点としては、信号の生成が、走査間隔、すなわちスケール本体と走査装置との間の間隔の変動に対してより良好に鈍感になる。したがって、比較的大きい組立公差が、本発明のエンコーダに対して得られる。その結果、当該エンコーダの構造が、それぞれの用途において明らかに容易になる。さらに、当該組立公差によって、本発明のエンコーダは、より小さい組立公差のときには使用できない用途でも使用され得る。
【００２６】
本発明のその他の詳細及び利点を図面に関連する本発明の装置の実施の形態の以下の説明に基づいて説明する。
【図面の簡単な説明】
【００２７】
【図１】本発明のエンコーダの第１の実施の形態における走査放射ビーム路を概略的に示す。
【図２】図１によるエンコーダのスケール本体の、基準マークがインクリメンタル目盛の隣に配置されている一部の領域の上面図である。
【図３ａ】図１によるエンコーダの走査板の上面図である。
【図３ｂ】基準マーク走査パターンの領域内の図３ａによる走査板の側面図である。
【図４】図１によるエンコーダの検出装置の一部の領域と、後続配置された基準信号を生成するための別の素子との上面図である。
【図５】最大の基準信号の発生中の図１によるエンコーダの検出面内で発生する縞模様の輪郭と、検出装置の検出素子の一部とを示す。
【図６】図１によるエンコーダ内のスケール本体の位置に応じた基準クロック信号と基準差動信号との経時変化の輪郭を示す。
【図７】基準クロック信号と基準逆クロック信号との差動結合から発生する図１によるエンコーダの基準信号の輪郭を示す。
【図８】本発明のエンコーダの第２の実施の形態の検出装置の一部の領域上の上面図と、基準信号を生成するために後続接続された別の素子とを示す。
【図９】最大の基準信号の発生中の本発明のエンコーダの第２の実施の形態の検出面内で発生する縞模様の輪郭を示す。
【発明を実施するための形態】
【００２８】
以下に、本発明のエンコーダの第１の実施の形態を図１〜７に基づいて説明する。
【００２９】
図１内の走査放射ビーム路の概略的な輪郭から分かるように、照射システムとして構成された本発明のエンコーダは、走査装置１０と、ここでは反射式スケール本体として構成されているスケール本体２０とを有する。この走査装置１０とこのスケール本体２０とは、この図中にｘで示された測定方向に互いに可動に配置されている図示されていない複数の物体に接合されている。これらの物体は、例えば、位置を互いに検出する必要がある、互いに相対移動可能な機械部品でもよい。この場合には、当該エンコーダによって生成された位置信号が、−図中に示されていない−上位に配置された機械制御装置に供給される。この機械制御装置は、当該位置信号を公知の方法でさらに処理し、例えば、当該可動な機械部品を位置決めするために使用する。
【００３０】
走査装置１０とスケール本体２０との相対移動の場合に、位相シフトされている周期的な複数のインクリメンタル信号が、図１に示されたエンコーダによって、このスケール本体２０上に配置されて測定方向ｘに延在するインクリメンタル目盛２１の光学走査から生成され得る。図１では、この測定方向ｘは、その紙面に対して直角に指向されている。こうして生成された当該インクリメンタル信号は、公知の方法でスケール本体２０と走査装置１０との相対移動を検出するために使用される。基準信号ＲＥＦを既知の少なくとも１つの基準位置ｘＲＥＦで生成するため、１つの基準マーク２２が、スケール本体２０上の測定方向ｘに沿って当該基準位置ｘＲＥＦに配置されている。当然に、複数の基準マーク、例えば、いわゆる離間コード化された複数の基準マークも設けられ得る。この場合、当該複数のインクリメンタル信号に対する所定の１つの絶対基準値が、この基準信号ＲＥＦによって生成され得る。この基準マーク２２の通過後に、且つ以下で説明する１つの基準信号ＲＥＦの生成後に、高分解能の複数のインクリメンタル信号を当該既知の基準信号ｘＲＥＦに関連させることが可能である。それ故に、当該照合が実行されると同時に、２つの物体に対する高分解能の絶対位置測定が、本発明のエンコーダによって実行され得る。
【００３１】
スケール本体２０上のインクリメンタル目盛２１と基準マーク２２とを光学走査するため、走査装置１０が、１つの光源１１と１つのコリメーター光学素子１２と１つの走査板１３とインクリメンタル信号を検出するための１つのインクリメンタル信号検出装置１９と基準信号ＲＥＦを検出するための１つの基準信号検出装置とを有する。さらに、１つの基準マーク走査パターン１４と１つの１つのインクリメンタル目盛走査パターン１６と光学的に無効の複数の窓領域１５，１７とが、当該走査板１３上に配置されている。信号を生成するための種々の構成要素に関しては、基準信号ＲＥＦを本発明にしたがって生成するための走査放射ビーム路の以下の説明を参照のこと。
【００３２】
最初に、レーザーダイオード又は発光ダイオードとして構成された光源１１から放射された（図１中の左側に延在する）放射ビーム束が、走査装置１０内でコリメーター光学系１２によってコリメートされる結果、平行な放射ビーム束に変換される。次いで、当該放射ビーム束は、走査板１３に向かう法線に対して緩やかな鋭角を成してこの走査板１３の上面上の基準マーク走査パターン１４上に入射する。可能な実施の形態では、この角度は、約８°である。当然に、別の代わりの鋭角も、本発明の範囲内で可能である。当該放射ビーム束は、この基準マーク走査パターン１４の通過後に、引き続きスケール本体２０上に到達し、このスケール本体２０の基準位置ｘＲＥＦで基準マーク２２と相互に作用し、走査装置１０の方向に再び戻るように反射される。当該放射ビーム束は、当該走査板１３内の光学的に無効な窓領域１５を通過し、次いで基準信号検出装置１８上に照射される。
【００３３】
当該放射ビーム束と同様に、位置によって決まるインクリメンタル信号を生成するための走査放射ビーム路も、適切な走査手段によって延在する。図１では、右側に延在する放射ビーム束が、対応する走査放射ビーム路を示す。この放射ビーム束は、光源１１から出発してコリメーター光学素子１２とインクリメンタル目盛走査パターン１６とスケール本体２０上のインクリメンタル目盛２１と走査板１３内の別の透過性の窓領域１７とを通過してインクリメンタル信号検出装置１９上に到達する。本発明にとって重要でないインクリメンタル信号の生成のその他の点に関しては、本出願人の欧州特許出願公開第１０８１４５７号明細書を参照のこと。
【００３４】
スケール本体２０の或る領域の上面図が、図２に示されている。このスケール本体２０は、照射振幅型回折格子として形成されている。１つの基準マーク２２が、インクリメンタル目盛２１の隣に配置されている。この図２から分かるように、このインクリメンタル目盛２１は、異なる反射特性を有する複数の目盛領域２１．２，２１．２の測定方向ｘに周期的な配置から構成される。これらの異なる目盛領域２１．１，２１．２はそれぞれ、１つの長方形を成す。この場合、当該配置面内のこれらの長方形の長手軸が、示されているｙ方向に沿って、すなわち測定方向ｘに対して直角に延在する。この場合、当該図で明るく示された目盛領域２１．１は、高い反射率を有する一方で、インクリメンタル目盛２１の暗く示された目盛領域２１．２は、この実施の形態では低い反射率だけを有する。図２では、インクリメンタル目盛２１の周期が、ＰＩＮＣ．Ｍで示される。すなわち、長方形の１つの目盛領域２１．１又は２１．２の幅はそれぞれ、ＰＩＮＣ．Ｍ／２である。
【００３５】
図２によれば、スケール本体２０上の１つの基準マーク２２が、測定方向ｘに沿って位置決めされた既知の少なくとも１つの基準位置ｘＲＥＦに配置されている。同様に、この基準マーク２２は、測定方向ｘに延在する複数の目盛領域２２．１，２２．２の配置から構成される。この基準マーク２２は、測定方向ｘに沿って長さＩＲＥＦ，Ｍを有する。この場合には、インクリメンタル目盛２１のように、交互に配置されたこれらの目盛領域２２．１，２２．２が、同様に高い反射率と低い反射率とで形成されている。
【００３６】
周期的に形成されたインクリメンタル目盛２１とは違って、スケール本体２０上の基準マーク２２の複数の目盛領域２２．１，２２．２の配置が、場所に応じて異なる目盛周期を有する。以下では、当該目盛周期に関しては、いわゆるチャープパターンとも記す。基準マーク２２を特徴付ける当該場所に応じて異なる目盛周期を考察する代わりに、基準マーク２２の回折格子の空間周波数分布について言及してもよい。以下に、第３の回折格子の空間周波数分布を、スケール本体２０上の基準マーク２２と関連させて説明する。
【００３７】
図２の具体的な実施の形態では、基準マーク２２が、基準マーク対称軸ＳＭに対してミラー対称に配置又は形成された、チャープされた２つの基準マーク部分領域２２Ａ，２２Ｂから構成される。これらの基準マーク部分領域２２Ａ，２２Ｂはそれぞれ、測定方向ｘに沿って長さＩＲＥＦ，Ｍ／２を有する。この場合、図２によれば、基準マーク対称軸ＳＭが、方向ｙに対して平行に、すなわち測定方向ｘに対して垂直に指向されている。この場合、これらの基準マーク部分領域２２Ａ，２２Ｂ内では、目盛領域２２．１，２２．２の目盛周期が、基準マーク対称軸ＳＭから出発して外側に向かうにつれてより小さくなる、又は、回折格子の空間周波数が、より大きくなる。
【００３８】
原理的には、基準マーク内の回折格子の空間周波数の逆の推移も、本発明の範囲内で可能である。したがって、この場合には、回折格子の空間周波数が、外側に向かうにつれてより小さくなる、又は、目盛周期が、より大きくなる。
【００３９】
図３ａは、本発明のエンコーダ１３の可能な実施の形態の走査版１３の上面図である。基準マーク走査パターン１４の側面図が、図３ｂに示されている。この場合、ガラス板が、走査板１３として機能する。この場合、このガラス板内では、異なる走査パターン１４，１６の異なる目盛領域１４．１〜１４．３，１６．１〜１６．３が、吸収性のクロムのウェブとして、透過性のガラス領域として、及びそれぞれ設けられている組み合わせられた振幅パターンと位相パターンとの深くエッチングされた位相シフトされているガラス領域として形成されている。
【００４０】
図３ａの右側の部分に示された走査板１３の一部では、透過性の窓領域１７が、インクリメンタル目盛走査パターン１６の隣で確認できる。スケール本体２０から反射した放射ビーム束が、インクリメンタル信号を生成するために、インクリメンタル信号検出装置１９上に照射される前に当該透過性の窓領域１７を通過する。例えば、上記の欧州特許出願公開第１０８１４５７号明細書から公知であるように、測定方向ｘに沿って延在する当該インクリメンタル目盛走査パターン１６は、周期的に組み合わせられた振幅パターン及び位相パターンとして形成されている。この場合、当該インクリメンタル目盛走査パターン１６の振幅パターンが、周期的に配置され、暗くと明るくとに示された長方形の目盛領域１６．１，１６．２から形成される。これらの目盛領域１６．１，１６．２は、これらの目盛領域１６．１，１６．２上に入射する光に対して非透過性と透過性とに形成されている。この場合、当該インクリメンタル目盛走査パターン１６の振幅パターンは、周期ＰＩＮＣ，Ａ１を有する。図３ａに具体的に示されているように、この周期ＰＩＮＣ，Ａ１は、測定方向ｘに沿った透過性と非透過性との目盛領域１６．１，１６．２の幅の合計に相当する。インクリメンタル目盛走査パターン１６の位相パターンは、測定方向ｘに沿って周期的に配置され、深くエッチングされた走査板１３の目盛領域１６．３によって形成される。当該目盛領域１６．３は、同様に長方形であり、図３ａにハッチングによって示される。当該目盛領域１６．３は、通過する放射ビーム束に対する所定の位相シフト作用を有する。図３ａでは、当該インクリメンタル目盛走査パターン１６内の位相パターン又は位相シフトされている目盛領域１６．３の周期が、ＰＩＮＣ，Ａ２で示される。
【００４１】
図３ａによれば、当該インクリメンタル目盛走査パターン１６に対してｙ方向に右側に隣接して、透過性の窓領域１７が、走査板１３内で確認できる。スケール本体２０から反射した放射ビーム束が、基準信号を生成するために、インクリメンタル信号検出装置１８上に照射される前に当該透過性の窓領域１７を通過する。
【００４２】
当該インクリメンタル目盛走査パターン１６とは違って、基準マーク走査パターン１４が、すなわち場所に応じて異なる目盛周期を有する目盛領域１４．１，１４．２，１４．３の配置として、すなわちチャープされた透過型回折格子として走査板１３上に形成されている。当該基準マーク走査パターン１４は、測定方向ｘに沿って、限定された長さＩＲＥＦ，Ａを有する。つまり、可能な実施の形態では、この長さＩＲＥＦ，Ａは、スケール本体２０上の基準マーク２２の長さＩＲＥＦ，Ｍにほぼ等しい。当該基準マーク走査パターン１４も、組み合された振幅パターン及び位相パターンとして形成されていて、非透過性の目盛領域１４．１と透過性の目盛領域１４．２と深くエッチングされた目盛領域１４．３とから構成される。当該伝達された放射ビーム束が、この目盛領域１４．３内で所定に位相シフトされる。
【００４３】
図３ａから分かるように、基準マーク走査パターン１４は、チャープパターンとして形成されている。すなわち、目盛周期が、場所に応じて異なるように、当該基準マーク走査パターン１４内の目盛領域１４．１，１４．２，１４．３の配置が構成されている。この場合、走査板１３上の基準マーク走査パターン１４は、図示された実施の形態では走査パターン対称軸ＳＡに対してミラー対称に配置された２つの走査パターン部分領域１４Ａ，１４Ｂから構成される。図３ａによれば、走査パターン対称軸ＳＡが、方向ｙに対して平行に、すなわち測定方向ｘに対して垂直に指向されている。これらの走査パターン部分領域１４Ａ，１４Ｂ内では、目盛領域１４．１，１４．２，１４．３の目盛周期が、走査パターン対称軸ＳＡから出発して外側に向かうにつれてより小さくなる。
【００４４】
上記の代わりの、外側に向かうにつれてより大きくなる目盛周期を有する基準マークの構成の場合には、当然に、基準マーク走査パターンも、これに応じて適合されて形成される必要がある。同様に、この基準マーク走査パターンも、外側に向かうにつれてより大きくなる目盛周期を有する。
【００４５】
スケール本体２０上の基準マーク２２の場合で既に説明したように、チャープされた基準マーク走査パターン１４も、回折格子の空間周波数によって特徴付けられ得る。この基準マーク走査パターン１４は、以下では第１の回折格子の空間周波数分布と記され、スケール本体２０上の基準マーク２２の回折格子の空間周波数分布と異なる。それ故に、基準マーク走査パターン１４のこの実施の形態では、周波数領域内で、回折格子の空間周波数が、基準マーク２２と同様に走査パターン対称軸ＳＡから出発して外側に向かうにつれてより大きくなる。つまり、これとは反対に、目盛周期は、走査パターン部分領域１４Ａ，１４Ｂ内で図３ａから分かるように外側に向かうにつれてより小さくなる。
【００４６】
この実施の形態では、説明した組み合わせられた振幅パターン及び位相パターンの形態の基準マーク走査パターン１４の構成によって、走査板１３の後方への透過中の主に＋／−１次の回折次数が、基準マーク２２を走査するための放射ビーム路内で光源から放射した放射ビーム束と基準マーク走査パターン１４との相互作用から発生し、基準信号ＲＥＦの生成に寄与することが保証されている。これに対して、この基準マーク走査パターン１４でのその他の回折次数の発生は、この基準マーク走査パターン１４の当該選択された構成によってほとんど抑制される。
【００４７】
後続配置された信号処理素子を含む本発明のエンコーダの基準信号検出装置１８が、図４に概略的に示されている。この図４から分かるように、この基準信号検出装置１８は、長方形に形成された複数の検出素子１８．１，１８．２から構成される。これらの検出素子は、測定方向ｘに沿って周期的に配置されている。以下では、当該検出装置に対応する周期が、変数ｄＶで記される。当該変数の意味に関しては、本明細書のその他の箇所でさらに詳しく説明する。当該基準信号検出装置１８又は当該検出素子１８．１，１８．２の周期的な配置を周波数領域内で考察すると、この基準信号検出装置１８は、検出装置空間周波数ｆＶ＝１／ｄＶを有する。
【００４８】
図４に示されているように、基準信号検出装置１８の各検出素子１８．１，１８．２が、１つおきに互いに電気接続されている。その結果、接続された複数の検出素子１８．１を有する第１グループが存在し、接続された複数の検出素子１８．２から構成される第２グループが存在する。当該接続された複数の検出素子１８．１の第１グループの出力側では、以下で基準クロック信号ＲＥＦＴと記される第１部分信号が、スケール本体２０上の基準マーク２２の走査から発生し、当該接続された複数の検出素子１８．２の第２グループの出力側では、以下で基準逆クロック信号ＲＥＦＧＴと記される第２部分信号が、スケール本体２０上の基準マーク２２の走査から発生する。基準位置ｘＲＥＦの範囲内の当該信号ＲＥＦＴ，ＲＥＦＧＴの経時変化が、図６に示されている。
【００４９】
図４から分かるように、基準クロック信号ＲＥＦＴ及び基準逆クロック信号ＲＥＦＧＴは、差生成素子３０に供給される。次いで、信号ＲＥＦ′が、この差生成素子３０の出力部で発生する。最後に、この信号ＲＥＦ′は、補正装置４０によってさらに信号補正される、特にオフセット補正される。次いで、基準信号ＲＦＥが、例えば−図示されなかった−制御装置によってさらに処理するために当該補正装置の出力部に供給される。基準位置ｘＲＥＦの範囲内のこの基準信号ＲＥＦの経時変化が、図７に示されている。
【００５０】
以下に、上記の本発明のエンコーダを用いた基準信号ＲＥＦの生成を詳細に説明する。
【００５１】
上記の基準マーク走査パターン１４の構成に起因して、当該放射ビーム路内のこの素子にしたがって、回折された＋／−１次の複数の部分放射ビーム束が重畳する。その結果、走査板１３上に配置された基準マーク走査パターン１４のセルフイメージが、スケール本体２０と走査装置１０との間の比較的大きい走査範囲によって生成される。したがって、スケール本体の面内に発生する基準マーク走査パターン１４の当該セルフイメージは、同様にチャープパターンを別に形成する。この場合、しかしながら、このセルフイメージは、当該基準マーク走査パターン１４に設けられている構成に起因して第２の回折格子の空間周波数分布を有する。この第２の回折格子の空間周波数分布は、この基準マーク走査パターン１４の第１の回折格子の空間周波数分布と異なる。好適な実施の形態では、基準マーク走査パターン１４の２倍の空間周波数のセルフイメージが、当該スケール本体の面内に存在する。すなわち、当該セルフイメージの目盛領域が、基準マーク走査パターン１４の相当する又は対応する領域内の目盛周期の半分である目盛周期を有する。さらに、こうして生成されたセルフイメージは、基準マーク走査パターン１４の長さＩＲＥＦ，Ａにほぼ相当する長さ寸法を有する。
【００５２】
この実施の形態では、基準マーク走査パターン１４の適切な構成によって、スケール本体の面内のセルフイメージの回折格子の空間周波数分布が、基準マーク２２の第３の回折格子の空間周波数に対して所定の差周波数ｆＶだけシフトされていることが保証される。この代わりに、必要な差周波数ｆＶをスケール本体２０上の基準マーク２２を適切に構成することによって調整することも、基本的に可能である。スケール本体２０が、基準位置ｘＲＥＦに存在するときに、周期的な空間周波数成分を有する縞模様が、基準信号検出装置１８の検出面内で、基準マーク走査パターン１４の生成されたセルフイメージと基準マーク２２との光学的な相互作用から発生する。この場合、当該周期的な空間周波数成分は、差周波数ｆＶに相当する。このとき、当該生成された干渉縞は、選択された検出装置空間周波数ｆＶ又は検出装置周期ｄＶ＝１／ｆＶを有する基準信号検出装置１８を使用して検出される。したがって、当該基準信号検出装置１８の検出装置空間周波数は、第２の回折格子の空間周波数分布と第３の回折格子の空間周波数分布との差周波数ｆＶに相当する。
【００５３】
走査装置１０が、基準マーク２２の真上に存在する場合、基準信号検出装置１８の複数の検出素子のうちの第１グループの複数の検出素子１８．１がそれぞれ、当該検出面内に生成された干渉縞の信号最大値を検出する。当該検出面内の干渉縞の信号最小値が、第２グループの複数の検出素子１８．２によって検出される。図５には、この場合が、図式化して正確に示されている。この場合、基準位置ｘＲＥＦで発生する干渉縞Ｓ並びに当該信号最大値と当該信号最小値とに割り当てられた基準信号検出装置１８の基準素子１８．１，１８．２が示されている。基準位置ｘＲＥＦで第１のグループの接続された複数の検出素子１８．１から発生する基準クロック信号ＲＥＦＴと、第２グループの接続された複数の検出素子１８．２から発生する基準逆クロック信号ＲＥＦＧＴとが、図６に示されている。図７には、当該基準クロック信号ＲＥＦＴと当該基準逆クロック信号ＲＥＦＧＴとから差を生成する回路から発生し、オフセット補正された基準信号ＲＥＦが具体的に示されている。
【００５４】
最後に、どのようにして、当該基準信号の生成に寄与する上記空間周波数成分が、必要なパターンを適切に寸法決めするために走査放射ビーム路内で数学的に特徴付け可能であるかを、本発明のエンコーダの第１の実施の形態に対して説明する。
【００５５】
まず、スケール本体２０上の基準マーク２２の場所によって決まる位相関数ｐＭ（ｘ）が、例えば以下の多項式によって表現され得る：
ｐＭ（ｘ）＝ａｘ＋ｂｘ３      （方程式１）
ｐＭ（ｘ）：＝スケール本体上の基準マークの場所によって決まる位相関数
ａ，ｂ：＝多項式の係数
ｘ：＝測定方向に沿った空間座標
【００５６】
スケール本体２０上の基準マーク２２の高い反射又は低い反射を呈する目盛領域が、以下のようにこのスケール本体２０上のこの基準マーク２２の位相関数ｐＭ（ｘ）から直接に算定され得る：
【００５７】
【数１】
0006293700.tif 000002
Ｒ（ｘ）：＝スケール本体上の基準マークの場所によって決まる反射率
ｐＭ（ｘ）：＝スケール本体上の基準マークの場所によって決まる位相関数
ｘ：＝測定方向に沿った空間座標
【００５８】
この場合、基本的には、スケール本体２０上の高く反射する目盛領域と低く反射する目盛領域が、適切に入れ替えられてもよい。
【００５９】
基準マーク走査パターン１４の周波数の２倍のセルフイメージが、既に上述したように周期的な基準信号検出装置１８の検出装置空間周波数ｆＶ＝１／ｄＶだけシフトされる必要がある。
【００６０】
この場合、スケール本体面内の強度分布Ｉ（ｘ）に対して：
【００６１】
【数２】
0006293700.tif 000003
Ｉ（ｘ）：＝スケール本体面内の場所によって決まる強度分布
ｐＡＰ（ｘ）：＝走査板上の基準マーク走査パターンの場所によって決まる位相関数
ｘ：＝測定方向に沿った空間座標
が成立する。
【００６２】
この場合、走査板１３上の基準マーク走査パターン１４の場所によって決まる位相関数に対して：
【００６３】
【数３】
0006293700.tif 000004
ｐＡＰ（ｘ）：＝走査板上の基準マーク走査パターンの場所によって決まる位相関数
ｄＶ：＝基準信号検出装置の検出装置周期
ａ，ｂ：＝多項式の係数
ｘ：＝測定方向に沿った空間座標
が成立する。
【００６４】
基準マーク走査パターン１４の複合透過Ｔ（ｘ）が、以下の方程式にしたがって走査板１３の基準マーク走査パターン１４の位相関数から新たに算定され得る。
【００６５】
【数４】
0006293700.tif 000005
Ｔ（ｘ）：＝基準マーク走査パターンの複合透過Ｔ（ｘ）
ｐＡＰ（ｘ）：＝走査板上の基準マーク走査パターンの場所によって決まる位相関数
ｘ：＝測定方向に沿った空間座標
【００６６】
この場合、透過値Ｔ（ｘ）＝−１は、基準マーク走査パターン１４の１つの目盛領域に対して、この目盛領域が深くエッチングされて形成されていることを意味する。その結果、通過する放射ビーム束の位相が、当該目盛領域にわたって、深くエッチングされなかった目盛領域に対して１８０°シフトされる。透過値Ｔ（ｘ）＝０は、吸収性の層を対応する１つの目盛領域内に被覆することによって基準マーク走査パターン１４内で達成される。
【００６７】
最後に、本発明のエンコーダの第２の実施の形態を図８及び９に基づいて説明する。これらの図８及び９は、第１の実施の形態の図４及び５と同様な構成を示す、すなわち検出装置の一部の領域の上面図であり、幾つかの検出素子に関連する検出面内で発生する干渉縞を示す。以下に、上記の実施の形態に対して本質的に異なる点だけを説明する。第１の実施の形態に対する大きな違いとして、基準信号検出装置１８０が、長方形の複数の検出素子１８１，１８２から構成され、これらの検出素子１８１，１８２が、測定方向ｘに非周期的に配置されていることが提唱されている。この場合、基準信号検出装置１８０の局所の検出装置空間周波数が、セルフイメージ側の第２の回折格子の空間周波数分布とスケール本体上の基準マーク側の第３の回折格子の空間周波数分布との局所の差周波数に相当する。このことを保証するためには、特に、走査板上の基準マーク走査パターンを新たに適切に形成することが必要である。
【００６８】
第２の実施の形態に対して図５と同様な図が、図９に示されている。同様に、基準位置ｘＲＥＦで発生する干渉縞Ｓ並びに信号最大値及び信号最小値に割り当てられた基準信号検出装置１８０の検出素子１８１，１８２が、この図９から分かる。基準クロック信号ＲＥＦＴが、第１グループの接続された複数の検出素子１８１から発生し、基準逆クロック信号ＲＥＦＧＴが、第２グループの接続された複数の検出素子１８２から発生する。これらの信号は、図８による差の生成と信号の補正との後に基準信号ＲＥＦを供給する。
【００６９】
したがって、本発明のエンコーダでは、適切な干渉縞が、検出装置面内で生成されるならば、複数の検出素子の厳密に周期的な配置の代わりに、複数の検出素子の非周期的な配置も設けられ得る。このようなバリエーションのさらなる利点としては、非常に高い有効信号成分を有する信号波形を使用することが可能である。
【００７０】
本発明の範囲内では、具体的に説明した実施の形態のほかに、さらにその他の構成の可能性が明らかに存在する。
【００７１】
すなわち、例えば、直進する相対移動を検出するため使用することも、回転する相対移動を検出するため使用することも、エンコーダで可能である。後者の場合には、細長いスケール本体と同様に、ラジアル回折格子のスケール本体が使用され得る。
【００７２】
さらに、説明した実施の形態による照射型のエンコーダだけが、本発明にしたがって構成され得るのではなくて、本発明は、透過光原理によるエンコーダでも実現可能である。この場合には、スケール本体を、異なる透過性の複数の目盛領域を有する照射振幅型回折格子として構成することができる。この場合、上述したバリエーションと違って、走査板が、直角方向に照射される。その結果、走査間隔が、変動に対してより良好に鈍感になる。
【００７３】
さらに、走査板上の組み合わされた位相パターンと振幅パターンとの代わりに、異なる位相シフト作用を有する周期的に配置された複数の目盛領域から構成される複数の位相パターンを設けることが可能である。この場合には、これらの目盛領域は、横方向のパターンをさらに有し、透過中に主に＋／−１次の回折次数を提供する。
【符号の説明】
【００７４】
１０  走査装置
１１  光源
１２  コリメーター光学素子
１３  走査板
１４  基準マーク走査パターン
１４Ａ  部分領域
１４Ｂ  部分領域
１４．１  目盛領域
１４．２  目盛領域
１４．３  目盛領域
１５  光学的に無効の窓領域、透過性の窓領域
１６  インクリメンタル目盛走査パターン
１６．１  目盛領域
１６．２  目盛領域
１６．３  目盛領域
１７  光学的に無効の窓領域、透過性の窓領域
１８  基準信号検出装置
１８．１  検出素子
１８．２  検出素子
１９  インクリメンタル信号検出装置
２０  スケール本体
２１  インクリメンタル目盛
２１．１  目盛領域
２１．２  目盛領域
２２  基準マーク
２２．１  目盛領域
２２．２  目盛領域
３０  差生成素子
４０  補正装置
１３０  差生成素子
１４０  補正装置
１８０  基準信号検出装置
１８１  検出素子
１８２  検出素子
【図１】
0006293700.tif 000006
【図２】
0006293700.tif 000007
【図３ａ】
0006293700.tif 000008
【図３ｂ】
0006293700.tif 000009
【図４】
0006293700.tif 000010
【図５】
0006293700.tif 000011
【図６】
0006293700.tif 000012
【図７】
0006293700.tif 000013
【図８】
0006293700.tif 000014
【図９】
0006293700.tif 000015